(57)【要約】  本発明は排出網と弾性網からなる二重網を備えた化粧品容器に関し、さらに詳細には、内容物容器の内側に液状またはゲル状内容物を貯蔵し、前記内容物容器の上部に排出網と弾性網からなる二重網を形成するが、前記弾性網は内容物の透過性を高めるために排出孔を排出網よりも大きく形成し、排出網は内容物の透過性を低めるために排出孔を弾性網よりも小さく形成することで、使用者がパフで排出網と弾性網を加圧すると内容物容器に貯蔵された内容物が粗く編まれた弾性網を通じて多く排出された後、細かく編まれた排出網全体に均等に排出されながらパフの塗布面に均一に付くことにより、化粧がダマにならなくなることによって使用の便宜性が向上した排出網と弾性網からなる二重網を備えた化粧品容器に関する。
2020508160.tif 000002
【特許請求の範囲】
【請求項１】
内部に内容物が貯蔵される内容物容器と、
前記内容物容器に貯蔵された内容物を加圧によって外部に排出して排出網と弾性網からなる二重網を含み、
前記排出網に形成された排出孔は弾性網に形成された排出孔よりも相対的に小さく形成されて、前記二重網の加圧時、内容物容器に貯蔵された内容物が１次的に弾性網を通過し、２次的に排出孔が相対的に小さく形成された排出網全体に均等に排出されることを特徴とする排出網と弾性網からなる二重網を備えた化粧品容器。
【請求項２】
前記内容物容器の一側には内容物容器蓋がヒンジ結合されることを特徴とする請求項１に記載の排出網と弾性網からなる二重網を備えた化粧品容器。
【請求項３】
前記二重網の排出網は排出孔が細かく編まれた構造で形成し、弾性網は排出孔が粗く編まれた構造で形成し、前記弾性網が排出網の下部で排出網の弾性を補助して前記排出網の弾性力が増大することを特徴とする請求項１に記載の排出網と弾性網からなる二重網を備えた化粧品容器。
【請求項４】
前記二重網の排出網と弾性網はリング形態のフレームに接合されて前記排出網と弾性網が互いに密着した状態に維持されることを特徴とする請求項１に記載の排出網と弾性網からなる二重網を備えた化粧品容器。
【請求項５】
前記二重網の排出網と弾性網は張りを持たせるように広げてフレームに接合されることを特徴とする請求項４に記載の排出網と弾性網からなる二重網を備えた化粧品容器。
【請求項６】
前記二重網の排出網と弾性網はフレームに超音波接合または高周波接合または熱接合されるか接着剤で接着されことを特徴とする請求項４に記載の排出網と弾性網からなる二重網を備えた化粧品容器。
【請求項７】
前記二重網の弾性網には文字またはイメージが刺繍されて排出網を通じて外部に表現されることを特徴とする請求項１に記載の排出網と弾性網からなる二重網を備えた化粧品容器。
【発明の詳細な説明】
【技術分野】
【０００１】
本発明は排出網と弾性網からなる二重網を備えた化粧品容器に関し、さらに詳細には、内容物容器の内側に液状またはゲル状内容物を貯蔵し、前記内容物容器の上部に排出網と弾性網からなる二重網を形成するが、前記弾性網は内容物の透過性を高めるために排出孔を排出網よりも大きく形成し、排出網は内容物の透過性を低めるために排出孔を弾性網よりも小さく形成して弾性網上部に形成することで、使用者がパフで排出網と弾性網を加圧すると内容物容器に貯蔵された内容物が弾性網を通じて排出された後、排出孔が小さい排出網全体に均等に排出されながらパフの塗布面に均一に付くことになり、化粧がダマにならなくなることによって、使用の便宜性が向上した排出網と弾性網からなる二重網を備えた化粧品容器に関する。
【背景技術】
【０００２】
一般的に、女性は自身の顔が華やか且つ美しく見えるように化粧品を利用して化粧をする。
【０００３】
このような化粧品はその機能によって基礎化粧品、メイクアップ化粧品、機能性化粧品、毛髪用化粧品などに区分されることができ、その状態によって粉末、液状、ゲル状、固形化粧品に区分されて各状態に適した容器に保管されて使用される。
【０００４】
上記メイクアップ化粧品は肌色を均一にして欠点をカバーするために使用されるベースメイクアップと、唇、目、爪など部分的に立体感を高めるポイントメイクアップに区分され、ベースメイクアップはメイクアップベース、ファンデーション、パウダーなどで構成されており、ポイントメイクアップは口紅、アイライナー、マスカラなどで構成されている。
【０００５】
上記メイクアップ化粧品のうちベースメイクアップに該当するファンデーションは化粧料の形態によって固形ファンデーション、液状ファンデーション、ゲル状ファンデーションに分けられるが、上記固形ファンデーションの場合、カバー力は高いのに対して、化粧直しの際にダマになりやすい短所があり、上記液状ファンデーションの場合、密着感は良いが持続力が弱い短所がある。
【０００６】
従って、最近は軽い印象としっとりとしたみずみずしさを付与してさわやかな使用感を与えるゲル状ファンデーションの使用頻度が徐々に増加する傾向にある。
【０００７】
しかし、上記ゲル状ファンデーションを一般容器に充填して使用する場合、使用者がゲル状ファンデーションを手またはパフに取り出すか絞り出して肌に塗布する方式で使用されたため、ゲル状ファンデーションを同一の量で取って使用することができなかった。また、ゲル状ファンデーションがパフ全体に均等に付かず一部分のみに付くようになり、使用上不便な問題点があった。
【０００８】
このような問題点を解決するために、図１から分かるように、韓国登録特許第１０−１２５７６２８号に含浸部材が内蔵されたコンパクト容器が開示されており、上記従来技術は発泡ウレタンからなる含浸部材にゲル状化粧料を含浸させてパフで上記含浸部材を直接加圧しながら使用するものである。
【０００９】
しかし、上記従来技術は使用者がパフを利用して含浸部材を直接加圧することで内容物をパフに付けて肌に塗布する方式なので、反復的なパフの接触によって含浸部材が汚染されたり壊れたりする問題点があった。
【００１０】
また、上記従来技術は長期間使用されて含浸部材にゲル状化粧料の含浸量が減少すると、ゲル状化粧料を排出させるためにパフで含浸部材を押す圧力が大きくならなければならなく、それによって含浸部材が壊れてしまう問題点があり、その上、含浸部材の弾性力が低下して形状が変化してしまい、審美感が低下する問題点もある。
【００１１】
上記のような問題点を解決するために、図２で示すように、韓国登録特許１０−１６８６３５４号に液状内容物が収容された化粧品容器が開示されたが、上記従来技術はパフの加圧によって液状内容物を排出する吐出面と、前記吐出面から液状内容物が排出される面に隣接して設けられて前記吐出面の撓みを遮る遮蔽面とを含み、前記遮蔽面はレースなどの形態からなり、吐出面に対比して内容物の透過性及び弾力性が大きいことを特徴とする。
【００１２】
従って、上記吐出面が持続的にパフによって押さえられて撓みが発生する場合、上記吐出面を遮蔽面で遮り審美感が低下することを防止することができる。
【００１３】
しかし、上記従来技術において、遮蔽面の隙間が吐出面よりも相対的に大きいので液状内容物が遮蔽面の上部に均等に排出されないため、パフの塗布面全体に液状内容物を付けることができなくなり、これによって化粧がダマになる問題点があった。
【００１４】
また、上記従来技術においては、長期間使用しているうちに、下側に撓んだ吐出面と遮蔽面との間に空間が形成されるようになり、上記空間に排出された液状内容物が、外部から汚染された空気が遮蔽面の大きな隙間からの流通することによって、容易に汚染される問題点があった。
【発明の概要】
【発明が解決しようとする課題】
【００１５】
本発明は上記のような問題点を解決するために案出されたものであり、内容物容器の内側に液状またはゲル状内容物を貯蔵し、前記内容物容器の上部に排出網と弾性網からなる二重網を形成するが、前記弾性網は内容物の透過性を高めるために排出孔を排出網よりも大きく形成し、排出網は内容物の透過性を低めるために排出孔を弾性網よりも小さく形成して弾性網上部に形成することで、使用者がパフで排出網と弾性網を加圧すると内容物容器に貯蔵された内容物が弾性網を通じて排出された後、排出孔が小さい排出網全体に均等に排出されながらパフの塗布面に均一に付くようになり、化粧がダマにならなくなることによって使用の便宜性が向上した排出網と弾性網からなる二重網を備えた化粧品容器を提供することに目的がある。
【００１６】
また、排出網と弾性網を織物で形成し、前記弾性網に刺繍または印刷方式で文字またはイメージを形成することで、前記弾性網に刺繍された文字またはイメージが相対的に排出孔の小さい排出網を通じて外部にかすかに表現されるようにして、より審美感を向上させた排出網と弾性網からなる二重網を備えた化粧品容器を提供することに目的がある。
【００１７】
また、排出網と弾性網をリング形態のフレームに接合するが、前記フレームに張りを持たせるように接合して長期間使用しても排出網と弾性網との間に空間が形成されず互いに密着するようにすることで、内容物容器の内部に貯蔵された内容物が外部に露出されることを最小化して内容物の汚染を防止することができるようにした排出網と弾性網からなる二重網を備えた化粧品容器を提供することに目的がある。
【００１８】
また、排出網は排出孔が細かく編まれた構造で形成し、弾性網は排出孔が粗く編まれた構造で形成するが、前記弾性網が排出網の下部で排出網の弾性を補助する役割をするようにすることで、前記排出網と弾性網の加圧が解除されると弾性網によって排出網の弾性力が増大して、前記排出網が、内容物とともに下側に撓まず、弾力的に元来の形態に復元されながら張りが維持される。よって、内容物容器に貯蔵された内容物が外部から遮断されて内容物の汚染が防止されるようにした排出網と弾性網からなる二重網を備えた化粧品容器を提供することに目的がある。
【課題を解決するための手段】
【００１９】
本発明は内部に内容物が貯蔵される内容物容器と、
前記内容物容器に貯蔵された内容物を加圧によって外部に排出して、排出網と弾性網からなる二重網を含み、
前記排出網に形成された排出孔は弾性網に形成された排出孔よりも相対的に小さく形成されて、前記二重網の加圧時、内容物容器に貯蔵された内容物が１次的に弾性網を通過し、２次的に排出孔が相対的に小さく形成された排出網全体に均等に排出されることを特徴とする排出網と弾性網からなる二重網を備えた化粧品容器を提供する。
【００２０】
また、前記内容物容器の一側には内容物容器蓋がヒンジ結合されることを特徴とする。
【００２１】
また、前記二重網の排出網は排出孔が細かく編まれた構造で形成し、弾性網は排出孔が粗く編まれた構造で形成し、前記弾性網が排出網の下部で排出網の弾性を補助して前記排出網の弾性力が増大することを特徴とする。
【００２２】
また、前記二重網の排出網と弾性網はリング形態のフレームに接合されて前記排出網と弾性網が互いに密着した状態に維持されることを特徴とする。
【００２３】
また、前記二重網の排出網と弾性網は張りを持たせるように広げてフレームに接合されることが好ましい。
【００２４】
また、前記二重網の排出網と弾性網はフレームに超音波接合または高周波接合または熱接合されるか接着剤で接着され得る。
【００２５】
また、前記二重網の排出網と弾性網は経糸と緯糸が交差して編まれた織物からなることが好ましい。
【００２６】
また、前記二重網の弾性網には文字またはイメージが刺繍されて排出網を通じて外部にかすかに表現され得る。
【発明の効果】
【００２７】
本発明に係る排出網と弾性網からなる二重網を備えた化粧品容器は、内容物容器の内側に液状またはゲル状内容物を貯蔵し、前記内容物容器の上部に排出網と弾性網からなる二重網を形成するが、前記弾性網は内容物の透過性を高めるために排出孔を排出網よりも大きく形成し、排出網は内容物の透過性を低めるために排出孔を弾性網よりも小さく形成して弾性網上部に形成することで、使用者がパフで排出網と弾性網を加圧すると内容物容器に貯蔵された内容物が弾性網を通じて排出された後、排出孔が小さい排出網全体に均等に排出されながらパフの塗布面に均一に付いて、化粧がダマにならなくなることによって使用の便宜性が向上する効果がある。
【００２８】
また、本発明に係る排出網と弾性網からなる二重網を備えた化粧品容器は、排出網と弾性網を織物で形成し、前記弾性網に刺繍または印刷方式で文字またはイメージを形成することで、前記弾性網に刺繍された文字またはイメージが相対的に排出孔の小さい排出網を通じて外部にかすかに表現されるようにしてより審美感を向上させる効果がある。
【００２９】
また、本発明に係る排出網と弾性網からなる二重網を備えた化粧品容器は、排出網と弾性網をリング形態のフレームに接合するが、前記フレームに張りを持たせるように接合して、長期間使用しても排出網と弾性網との間に空間が形成されず互いに密着されるようにすることで、内容物容器の内部に貯蔵された内容物が外部に露出されることを最小化して内容物の汚染を防止することができる。
【００３０】
また、本発明に係る排出網と弾性網からなる二重網を備えた化粧品容器は、排出網は排出孔が細かく編まれた構造で形成し、弾性網は排出孔が粗く編まれた構造で形成するが、前記弾性網が排出網の下部で、排出網の弾性を補助する役割をするようにすることで、前記排出網と弾性網の加圧が解除されると、弾性網によって排出網の弾性力が増大して前記排出網が内容物とともに下側に撓まず、弾力的に元来の形態に復元されながら張りが維持されることによって、内容物容器に貯蔵された内容物が外部から遮断されて内容物の汚染が防止される効果がある。
【図面の簡単な説明】
【００３１】
【図１】図１は従来のコンパクト容器である。
【図２】図２は従来の液状内容物が収容された化粧品容器である。
【図３】図３は本発明に係る化粧品容器の斜視図である。
【図４】図４は本発明に係る化粧品容器の分解斜視図である。
【図５】図５は本発明に係る化粧品容器の断面図である。
【図６】図６は本発明に係る化粧品容器の二重網を加圧して内容物を外部に排出する様子を示す断面図である。
【図７】図７は本発明に係る化粧品容器の弾性網に文字またはイメージが形成された様子を示す分解斜視図である。
【発明を実施するための形態】
【００３２】
本発明と本発明の実施によって達成される技術的課題は次で説明する好ましい実施例によって明確になる。以下、添付の図面を参照して本発明に係る排出網と弾性網からなる二重網を備えた化粧品容器の一実施例を詳細に考察する。
【００３３】
図３は本発明に係る化粧品容器の斜視図であり、図４は本発明に係る化粧品容器の分解斜視図であり、図５は本発明に係る化粧品容器の断面図であり、図６は本発明に係る化粧品容器の二重網を加圧して内容物を外部に排出する様子を示す断面図である。
【００３４】
本発明の一実施例に係る排出網と弾性網からなる二重網を備えた化粧品容器は、内部に内容物が貯蔵される内容物容器１０と、前記内容物容器１０に貯蔵された内容物を加圧によって外部に排出して、排出網２２と弾性網２４からなる二重網２０を含むが、前記排出網２２に形成された排出孔は弾性網２４に形成された排出孔よりも相対的に小さく形成されて前記二重網２０の加圧時、内容物容器１０に貯蔵された内容物が１次的に弾性網２４を通過し、２次的に排出孔が相対的に小さく形成された排出網２２全体に均等に排出されることを特徴とする。
【００３５】
前記内容物容器１０の内部には液状またはゲル状内容物が貯蔵される。
【００３６】
前記内容物容器１０は内壁１２と前記内壁１２の外側に一定間隔に離隔されて上側に延長形成された外壁１４からなる。
【００３７】
前記内容物容器１０の内壁１２外周縁にはフレーム４０が結合され、外壁１４一側には第１ヒンジ部１６が形成される。
【００３８】
前記内容物容器１０には内容物容器１０を開閉する内容物容器蓋３０がヒンジ結合される。
【００３９】
前記内容物容器蓋３０の上部にはパフ（Ｐ）を保管できるパフ収容溝３２が形成され、内容物容器蓋３０の一側には使用者が容易に内容物容器蓋３０を開閉することができるように蓋取っ手３４が外側に突出形成される。
【００４０】
前記内容物容器蓋３０の蓋取っ手３４の対向側には第２ヒンジ部３６が形成されて内容物容器１０の第１ヒンジ部１６とヒンジ結合される。
【００４１】
前記内容物容器蓋３０の下部には密閉突輪３８が下側に延長形成されるが、前記密閉突輪３８は内容物容器蓋３０を閉めた時、内容物容器１０の外壁１４内周縁に密着して前記内容物容器１０を密閉する。
【００４２】
前記内容物容器１０は図４で示すように、容器本体５０の内側に結合され得る。
【００４３】
前記容器本体５０の一側には容器蓋６０がヒンジ結合されて前記容器本体５０を開閉する。
【００４４】
前記容器本体５０の前面にはボタン５２が形成されて、前記ボタン５２の上側には係止突起５２２が突出形成される。
【００４５】
前記容器蓋６０の前面には突起形状のフック６２が形成されて前記ボタン５２の係止突起５２２と締結される。
【００４６】
前記容器蓋６０の内側には使用者が容易に化粧できるように鏡６４が備えられることがある。
【００４７】
前記二重網２０はパフ（Ｐ）の加圧によって内容物容器１０の内部に貯蔵された内容物を外部に排出するようになる。
【００４８】
前記二重網２０は織物、即ち、経糸(縦糸)と緯糸（横糸）が互いに上下に交差して編まれた布で形成される。
【００４９】
図６に示すように、前記二重網２０をパフ（Ｐ）のような化粧道具で加圧すると、二重網２０が下側に押されながら伸びて内容物容器１０に貯蔵された内容物が縦糸と横糸との間の排出孔を通じて外部に排出される。これによって、前記内容物容器１０から排出された内容物のみがパフ（Ｐ）の塗布面に付くようになり、前記内容物容器１０内に貯蔵されている内容物にはパフ（Ｐ）が接触しないため、内容物容器１０内の内容物が前記パフ（Ｐ）にある細菌及び老廃物によって汚染しなくなる。
【００５０】
前記二重網２０は排出網２２と弾性網２４からなり、前記排出網２２と弾性網２４は積層構造で形成される。
【００５１】
図４から分かるように、前記二重網２０の排出網２２に形成された排出孔は相対的に小さく形成され、弾性網２４に形成された排出孔は相対的に大きく形成される。
【００５２】
従って、前記二重網２０を加圧すると、内容物容器１０に貯蔵された内容物が、相対的に排出孔が大きい弾性網２４を先に通過した後、相対的に排出孔が小さい排出網２２に排出されることによって、内容物が排出網２２全体に均等に排出される。
【００５３】
換言すれば、本発明は内容物容器１０の上部に二重網２０を結合するが、前記二重網２０の弾性網２４は内容物の透過性を高めるために排出孔を相対的に大きく形成し、排出網２２は内容物の透過性を低めるために相対的に排出孔を小さく形成することで、図６の拡大図に示すように二重網２０を加圧すると、弾性網２４の大きい排出孔を通過した内容物が再び排出網２２の小さい排出孔に分配されながら排出される。これによって内容物が排出網２２の上部面全体に均等に排出される。
【００５４】
また、前記二重網２０の排出網２２の排出孔は細かく編まれた構造で形成され、弾性網２４の排出孔は粗く編まれた構造で形成される。前記弾性網２４は排出網２２の下部で排出網２２の弾性を補助する役割をする。
【００５５】
すなわち、前記排出網２２と弾性網２４を加圧しながら内容物を排出して使用した後、前記排出網２２に加えていた力を除去すると、排出網２２の排出孔に外部空気が流入されながら前記排出網２２が元来の状態に復元されるのが望ましいが、前記排出網２２の排出孔に残っていた内容物の高い粘度によって前記内容物が外部空気とともに容易に内容物容器１０内に流入できず、下に撓んだ状態になる。
【００５６】
しかし、その時、前記排出網２２の下部に形成された弾性網２４が排出網２２を上部に押し上げる役割をすることで、前記排出網２２が弾力的に元来の形態に復元されながら張りが維持されると同時に、前記排出網２２の排出孔には内容物が存在しない状態になるため、内容物が前記排出網２２と弾性網２４によって外部から遮断されて汚染しなくなる。
【００５７】
さらに、前記二重網２０の排出網２２が細かく編まれた構造で形成されているため、使用者が二重網２０を加圧する前には、内容物容器１０内に貯蔵された液状またはゲル状の内容物が外部に排出されなくなり、化粧品容器の衛生性及び便宜性が向上する。
【００５８】
前記排出網２２と弾性網２４に形成された排出孔の大きさは内容物容器１０に貯蔵された内容物の粘度によって異なるように形成するが、例えば内容物容器１０に貯蔵された内容物の粘度が低い場合、排出網２２と弾性網２４に形成された排出孔はさらに小さく形成し、反対に内容物容器１０に貯蔵された内容物の粘度が高い場合、排出網２２と弾性網２４に形成された排出孔はさらに大きく形成することが好ましい。
【００５９】
前記二重網２０の排出網２２と弾性網２４はフレーム４０に接合されて前記排出網２２と弾性網２４が互いに密着した状態に維持される。
【００６０】
即ち、本発明は図５に示すように、排出網２２と弾性網２４をフレーム４０に共に接合して、長期間使用しても前記排出網２２と弾性網２４との間に空間が形成されず互いに密着するようにすることで、内容物容器１０の内部に貯蔵された内容物が外部に露出されることを最小化して内容物が容易に汚染されないようにした。
【００６１】
また、前記二重網２０の排出網２２と弾性網２４は下側に撓まないように張りを持たせるように広げてフレーム４０に接合されることが好ましい。
【００６２】
前記二重網２０を長期間使用しているうちに、二重網２０に含浸される内容物の重さと内容物容器１０に貯蔵された内容物の表面張力及び反復される加圧によって前記二重網２０が内容物容器１０内側に撓む現象が発生する虞があるが、本発明はこのような撓む現象を補完するために排出網２２と弾性網２４を二重で張りを持たせるように広げられた状態でフレーム４０に接合したものである。
【００６３】
前記二重網２０の排出網２２と弾性網２４はリング形態のフレーム４０に接合される。
【００６４】
前記フレーム４０は内側に延長形成された接合部４２と前記接合部４２の下側に延長形成された結合部４４からなる。
【００６５】
前記フレーム４０の接合部４２には二重網２０が接合されるが、超音波接合または高周波接合または熱接合されるか接着剤で接着され得る。
【００６６】
前記フレーム４０の結合部４４は内容物容器１０の内壁１２外周縁に結合されるが、前記フレーム４０と内容物容器１０はアンダーカット結合または螺合または強制嵌合など多様な方式で結合され得る。
【００６７】
図７は本発明に係る化粧品容器の弾性網に文字またはイメージが形成された様子を示す分解斜視図である。
【００６８】
本発明は図７から分かるように、二重網２０の弾性網２４に文字またはイメージが形成され得る。
【００６９】
前記文字またはイメージは刺繍方式または印刷方式によって弾性網２４に形成され得て、このように形成された文字またはイメージは排出網２２の排出孔を通じて外部にかすかに表現されて審美感をより向上させる。
【００７０】
上記のように構成された排出網と弾性網からなる二重網を備えた化粧品容器の組立方法及び使用方法を添付の図面を参照して説明すれば次のとおりである。
【００７１】
本発明の一実施例に係る排出網と弾性網からなる二重網を備えた化粧品容器を組み立てるために、まず図４と図５に示すように、内容物容器１０の一側に内容物容器蓋３０をヒンジ結合し、前記内容物容器１０の内側に液状またはゲル状化粧料を充填する。
【００７２】
次に、フレーム４０の接合部４２下部面に排出網２２と弾性網２４をともに接合するが、超音波接合または高周波接合または熱接合するか接着剤で接着する。この時、前記排出網２２と弾性網２４は張りを持たせるように広げてフレーム４０に接合することが好ましい。
【００７３】
次に、上記のように排出網２２と弾性網２４が接合されたフレーム４０を内容物容器１０の内壁１２に嵌めて結合する。
【００７４】
次に、一側に容器蓋６０がヒンジ結合された容器本体５０の内側に前記内容物容器１０を装着する。
【００７５】
最後に、前記容器蓋６０を閉めて本発明の一実施例に係る排出網と弾性網からなる二重網を備えた化粧品容器の組み立てを完了する。
【００７６】
上記のように組み立てられた排出網と弾性網からなる二重網を備えた化粧品容器を使用するために、まず容器本体５０の前面に形成されたボタン５２を押して容器蓋６０を開放した後、図５に示すように、内容物容器１０から内容物容器蓋３０を回転して開放する。
【００７７】
その後、パフ（Ｐ）のような化粧道具で二重網２０の排出網２２を加圧すると、前記二重網２０が下側に押されながら内容物容器１０に貯蔵された内容物が弾性網２４に形成された排出孔を通過した後、排出網２２に形成された排出孔を通じて外部に排出されて前記パフ（Ｐ）の塗布面に付くようになる。
【００７８】
即ち、図６の拡大図に示すように、内容物容器１０に貯蔵された内容物が先に弾性網２４に形成された大きな排出孔に流入された後、再び排出網２２の小さい排出孔に分配されながら通過されて排出網２２の上部面全体に均等に排出される。
【００７９】
その後、前記二重網２０の加圧が解除されると、弾性網２４によって排出網２２の弾性力が増大されて前記排出網２２が内容物とともに下側に撓まず、弾力的に元来の形態に復元されながら張りが維持される。
【００８０】
その後、前記パフ（Ｐ）を利用して化粧をした後、化粧が終わった後には容器蓋２０を閉めて本発明に係る排出網と弾性網からなる二重網を備えた化粧品容器の使用を完了する。
【００８１】
以上、本発明で説明したことは排出網と弾性網からなる二重網を備えた化粧品容器を実施するための一つの実施例に過ぎず、本発明は前記実施例に限定されるものではない。添付の請求の範囲で請求するように本発明の要旨を逸脱せずに当該発明が属する分野で通常の知識を有する者であれば誰でも多様な変更実施が可能な範囲まで本発明の範囲に属するものとみなされなければならない。
【符号の説明】
【００８２】
１０  内容物容器
２０  二重網
２２  排出網
２４  弾性網
３０  内容物容器蓋
４０  フレーム
５０  容器本体
６０  容器蓋
Ｐ    パフ
【図１】
2020508160.tif 000003
【図２】
2020508160.tif 000004
【図３】
2020508160.tif 000005
【図４】
2020508160.tif 000006
【図５】
2020508160.tif 000007
【図６】
2020508160.tif 000008
【図７】
2020508160.tif 000009
【国際調査報告】
2020508160.tif 000010
2020508160.tif 000011
2020508160.tif 000012
2020508160.tif 000013